(57)【要約】【課題】ニーズに応じたコンテンツ表示の設定をその場で簡単に行うことができる表示装置等を提供する。【解決手段】ベッドサイドモニター１は、配信サーバ２と通信可能であり、モニター１において選択できないデータである固定コンテンツ素材を配信サーバ２から受信して固定コンテンツ表示領域に表示する固定コンテンツ表示手段と、モニター１において選択できるデータである選択コンテンツ素材の候補を配信サーバ２から受信してコンテンツ選択画面に表示するコンテンツ選択画面表示手段と、選択コンテンツ素材の候補のうちコンテンツ選択画面において選択された選択コンテンツ素材を選択コンテンツ表示領域に表示する選択コンテンツ表示手段と、を有する。【選択図】図１１
2018169814.tif 000002
【特許請求の範囲】
【請求項１】
サーバと通信可能な表示装置であって、
前記表示装置上で選択できないデータである固定コンテンツ素材を前記サーバから受信して固定コンテンツ表示領域に表示する固定コンテンツ表示手段と、
前記表示装置上で選択できるデータである選択コンテンツ素材の候補を前記サーバから受信してコンテンツ選択画面に表示するコンテンツ選択画面表示手段と、
前記選択コンテンツ素材の候補のうち前記コンテンツ選択画面において選択された前記選択コンテンツ素材を選択コンテンツ表示領域に表示する選択コンテンツ表示手段と、
を有することを特徴とする表示装置。
【請求項２】
前記選択コンテンツ素材の候補のうち前記選択コンテンツ表示領域に表示可能なものが、前記固定コンテンツ素材の少なくともいずれかに応じて異なることを特徴とする請求項１記載の表示装置。
【請求項３】
選択された前記選択コンテンツ素材を前記サーバに通知する通知手段を有し、
前記選択コンテンツ表示手段は、選択された前記選択コンテンツ素材の表示許可通知を前記サーバから受信した場合に、選択された前記選択コンテンツ素材を前記選択コンテンツ表示領域に表示することを特徴とする請求項１または請求項２記載の表示装置。
【請求項４】
前記表示装置は病院のベッドに設置され、
前記選択コンテンツ素材の候補のうち前記選択コンテンツ表示領域に表示可能なものは、前記ベッドの入院患者に関する前記固定コンテンツ素材に応じて異なることを特徴とする請求項１から請求項３のいずれかに記載の表示装置。
【請求項５】
表示装置上で選択できないデータである固定コンテンツ素材を固定コンテンツ表示領域に表示し、表示装置上で選択できるデータである選択コンテンツ素材を選択コンテンツ表示領域に表示する表示装置であって、
前記選択コンテンツ素材の候補をコンテンツ選択画面に表示し、
前記選択コンテンツ素材の候補のうち前記選択コンテンツ表示領域に表示可能なものが、前記固定コンテンツ素材の少なくともいずれかに応じて異なることを特徴とする表示装置。
【請求項６】
前記コンテンツ選択画面では、前記選択コンテンツ表示領域に表示可能な選択コンテンツ素材が、他の選択コンテンツ素材と区別できるように強調表示されることを特徴とする請求項５記載の表示装置。
【請求項７】
前記コンテンツ選択画面では、前記選択コンテンツ表示領域に以前表示された選択コンテンツ素材が、他の選択コンテンツ素材と区別できるように強調表示されることを特徴とする請求項５または請求項６記載の表示装置。
【請求項８】
表示装置と、前記表示装置と通信可能なサーバを有する表示システムであって、
前記表示装置は、
前記表示装置上で選択できないデータである固定コンテンツ素材を前記サーバから受信して固定コンテンツ表示領域に表示する固定コンテンツ表示手段と、
前記表示装置上で選択できるデータである選択コンテンツ素材の候補を前記サーバから受信してコンテンツ選択画面に表示するコンテンツ選択画面表示手段と、
前記選択コンテンツ素材の候補のうち前記コンテンツ選択画面において選択された前記選択コンテンツ素材を選択コンテンツ表示領域に表示する選択コンテンツ表示手段と、
を有し、
前記サーバは、
前記固定コンテンツ素材と前記選択コンテンツ素材の候補を前記表示装置に送信する送信手段を有することを特徴とする表示システム。
【請求項９】
前記選択コンテンツ素材の候補のうち前記選択コンテンツ表示領域に表示可能なものが、前記固定コンテンツ素材の少なくともいずれかに応じて異なることを特徴とする請求項８記載の表示システム。
【請求項１０】
前記表示装置は、
選択された前記選択コンテンツ素材を前記サーバに通知する通知手段を有し、
前記選択コンテンツ表示手段は、選択された前記選択コンテンツ素材の表示許可通知を前記サーバから受信した場合に、選択された前記選択コンテンツ素材を前記選択コンテンツ表示領域に表示し、
前記サーバは、
選択された前記選択コンテンツ素材を前記選択コンテンツ表示領域に表示してよいか否かを判定する判定手段を有し、
選択された前記選択コンテンツ素材を表示してよいと判定した場合に、前記表示許可通知を前記表示装置に送信することを特徴とする請求項８または請求項９記載の表示システム。
【請求項１１】
前記判定手段は、
前記固定コンテンツ素材の少なくともいずれかに対応する判定情報を用いて、選択された前記選択コンテンツ素材を前記選択コンテンツ表示領域に表示してよいか否かを判定することを特徴とする請求項１０に記載の表示システム。
【発明の詳細な説明】
【技術分野】
【０００１】
本発明は、表示装置および表示システム等に関する。
【背景技術】
【０００２】
コンテンツを不特定多数の人に提示する仕組みとして、コンテンツ管理サーバから広告などのコンテンツ素材を番組プログラムに従ってデジタルサイネージに送信し、デジタルサイネージ上に表示するシステムが良く知られている（例えば、特許文献１参照）。
【０００３】
特許文献１には、コンテンツ管理サーバに登録されているコンテンツ素材をデジタルサイネージに配信するシステムにおいて、デジタルサイネージの設置場所の担当者がコンテンツ素材登録装置からデジタルサイネージに表示するコンテンツ素材を登録できるようにしたものが開示されている。
【先行技術文献】
【特許文献】
【０００４】
【特許文献１】特開2016-162220号公報
【発明の概要】
【発明が解決しようとする課題】
【０００５】
特許文献１において、コンテンツ管理サーバからデジタルサイネージに配信されるコンテンツ素材は、予めコンテンツ管理サーバで管理されているものであり、デジタルサイネージの設置場所の担当者がその場で表示したい内容を設定できない。
【０００６】
そのため、特許文献１では、コンテンツ素材登録装置を別に設けることで、デジタルサイネージの設置場所の担当者がコンテンツ素材を登録してデジタルサイネージに表示する内容をニーズに応じてその場で設定できるようにしている。しかしながら、表示するパターンがある程度決まっている場合では、このような方法でコンテンツ素材を登録するのは面倒な作業であり、ニーズに応じたコンテンツ表示の設定を担当者がその場で行うのに手間が掛かる。
【０００７】
本発明は上記の問題に鑑みてなされたものであり、ニーズに応じたコンテンツ表示の設定をその場で簡単に行うことができる表示装置等を提供することを目的とする。
【課題を解決するための手段】
【０００８】
前述した課題を解決するための第１の発明は、サーバと通信可能な表示装置であって、前記表示装置上で選択できないデータである固定コンテンツ素材を前記サーバから受信して固定コンテンツ表示領域に表示する固定コンテンツ表示手段と、前記表示装置上で選択できるデータである選択コンテンツ素材の候補を前記サーバから受信してコンテンツ選択画面に表示するコンテンツ選択画面表示手段と、前記選択コンテンツ素材の候補のうち前記コンテンツ選択画面において選択された前記選択コンテンツ素材を選択コンテンツ表示領域に表示する選択コンテンツ表示手段と、を有することを特徴とする表示装置である。
【０００９】
本発明の表示装置では表示画面に選択コンテンツ表示領域が設定されており、コンテンツ選択画面に表示された選択コンテンツ素材の候補に対し、表示装置側からその場で有効なものを選択して選択コンテンツ表示領域に表示できる。例えば、病院や交通機関等において各種の情報を示すピクトグラムの場合、表示する候補となる絵柄はコンテンツの種類によって限られることが多く、このようなケースにおいて選択コンテンツ表示領域に表示する絵柄を候補の中から選択することで、表示画面の表示をニーズに応じてその場で簡単に設定できる。また選択コンテンツ素材の候補は固定コンテンツ素材とともにサーバで管理され、表示装置ごとに選択コンテンツ表示領域で表示できる内容を変更することもできる。
【００１０】
さらに、選択コンテンツ素材の選択の際に、表示を見る者とコミュニケーションをとりながら状況説明を行うこともできる。例えば表示装置が病院のベッドに設置するモニターの場合であれば、入院患者の回復状況に合わせた選択コンテンツ素材の選択の際に、表示を見る入院患者とコミュニケーションをとりながら医師や看護師等が現在の入院患者の回復状況を説明するときに使用できる。選択コンテンツ表示領域に表示する選択コンテンツ素材を入院患者と確認しながら選択することで、現在の回復状況がどのくらい快方に向かっているかを把握することが可能である。
【００１１】
前記選択コンテンツ素材の候補のうち前記選択コンテンツ表示領域に表示可能なものが、前記固定コンテンツ素材の少なくともいずれかに応じて異なることが望ましい。
表示装置で表示すべきコンテンツ素材は、表示装置を見る者、担当者、設置場所等の表示装置固有の状況に応じて異なることが多い。本発明では、そのような表示装置固有の状況についての情報を固定コンテンツ素材として表示する場合に、選択コンテンツ素材として選択コンテンツ表示領域に表示する内容を固定コンテンツ素材に応じて異なるものとできる。
【００１２】
第１の発明の表示装置は、選択された前記選択コンテンツ素材を前記サーバに通知する通知手段を有し、前記選択コンテンツ表示手段は、選択された前記選択コンテンツ素材の表示許可通知を前記サーバから受信した場合に、選択された前記選択コンテンツ素材を前記選択コンテンツ表示領域に表示することが望ましい。
このように、コンテンツ選択画面で選択された選択コンテンツ素材をサーバに通知し、サーバからの表示許可通知を受けてその選択コンテンツ素材を選択コンテンツ表示領域に表示することで、選択コンテンツ表示領域に表示可能な選択コンテンツ素材をサーバ上で管理でき、間違った選択コンテンツ素材が表示されることが無くなる。また選択された選択コンテンツ素材をサーバ側に通知することで、ログとして管理することもできる。
【００１３】
前記表示装置は病院のベッドに設置され、前記選択コンテンツ素材の候補のうち前記選択コンテンツ表示領域に表示可能なものは、前記ベッドの入院患者に関する前記固定コンテンツ素材に応じて異なることが望ましい。
表示装置が病院のベッドに設置される場合、その表示装置を見るベッドの入院患者は前記した表示装置固有の状況に該当する。従って、入院患者に関する情報を固定コンテンツ素材として表示する場合、選択コンテンツ素材として選択コンテンツ表示領域に表示可能な内容を、その固定コンテンツ素材に応じて異なるものとできる。
【００１４】
第２の発明は、表示装置上で選択できないデータである固定コンテンツ素材を固定コンテンツ表示領域に表示し、表示装置上で選択できるデータである選択コンテンツ素材を選択コンテンツ表示領域に表示する表示装置であって、前記選択コンテンツ素材の候補をコンテンツ選択画面に表示し、前記選択コンテンツ素材の候補のうち前記選択コンテンツ表示領域に表示可能なものが、前記固定コンテンツ素材の少なくともいずれかに応じて異なることを特徴とする表示装置である。
第２の発明は、第１の発明の表示装置に表示されるインタフェースに関するものである。
【００１５】
前記コンテンツ選択画面では、前記選択コンテンツ表示領域に表示可能な選択コンテンツ素材が、他の選択コンテンツ素材と区別できるように強調表示されることが望ましい。
これにより、選択コンテンツ素材の候補のうちどれが表示可能であるのかがわかりやすく、容易に選択ができるようになる。
【００１６】
前記コンテンツ選択画面では、前記選択コンテンツ表示領域に以前表示された選択コンテンツ素材が、他の選択コンテンツ素材と区別できるように強調表示されることも望ましい。
これにより、選択コンテンツ素材の候補のうち以前表示したものがわかり、選択コンテンツ素材を選択する際の参考にできる。
【００１７】
第３の発明は、表示装置と、前記表示装置と通信可能なサーバを有する表示システムであって、前記表示装置は、前記表示装置上で選択できないデータである固定コンテンツ素材を前記サーバから受信して固定コンテンツ表示領域に表示する固定コンテンツ表示手段と、前記表示装置上で選択できるデータである選択コンテンツ素材の候補を前記サーバから受信してコンテンツ選択画面に表示するコンテンツ選択画面表示手段と、前記選択コンテンツ素材の候補のうち前記コンテンツ選択画面において選択された前記選択コンテンツ素材を選択コンテンツ表示領域に表示する選択コンテンツ表示手段と、を有し、前記サーバは、前記固定コンテンツ素材と前記選択コンテンツ素材の候補を前記表示装置に送信する送信手段を有することを特徴とする表示システムである。また、前記選択コンテンツ素材の候補のうち前記選択コンテンツ表示領域に表示可能なものが、前記固定コンテンツ素材の少なくともいずれかに応じて異なることが望ましい。
第３の発明の表示システムは、第１の発明の表示装置とサーバによる表示システムである。
【００１８】
前記表示装置は、選択された前記選択コンテンツ素材を前記サーバに通知する通知手段を有し、前記選択コンテンツ表示手段は、選択された前記選択コンテンツ素材の表示許可通知を前記サーバから受信した場合に、選択された前記選択コンテンツ素材を前記選択コンテンツ表示領域に表示し、前記サーバは、選択された前記選択コンテンツ素材を前記選択コンテンツ表示領域に表示してよいか否かを判定する判定手段を有し、選択された前記選択コンテンツ素材を表示してよいと判定した場合に、前記表示許可通知を前記表示装置に送信することが望ましい。
このように、サーバ側では、選択された選択コンテンツ素材の表示装置からの通知に基づいて、その選択コンテンツ素材を表示装置に表示してよいか否かを判定することで、選択コンテンツ表示領域に表示する選択コンテンツ素材の管理をサーバ側で好適に行うことができる。
【００１９】
前記判定手段は、前記固定コンテンツ素材の少なくともいずれかに対応する判定情報を用いて、選択された前記選択コンテンツ素材を前記選択コンテンツ表示領域に表示してよいか否かを判定することが望ましい。
前記したように表示装置固有の状況についての情報を固定コンテンツ素材として表示する場合には、その固定コンテンツ素材に応じた判定情報を上記の判定に用いることで、選択コンテンツ表示領域に表示可能な選択コンテンツ素材を固定コンテンツ素材に応じて異なるものとできる。
【発明の効果】
【００２０】
本発明により、ニーズに応じたコンテンツ表示の設定をその場で簡単に行うことができる表示装置等を提供できる。
【図面の簡単な説明】
【００２１】
【図１】表示システム１００の概略を示す図。
【図２】表示システム１００の構成を示す図。
【図３】ベッドサイドモニター１のハードウェア構成を示す図。
【図４】表示画面３００の例を示す図。
【図５】配信サーバ２のハードウェア構成を示す図。
【図６】表示装置情報２１０を示す図。
【図７】レイアウト情報２３０を示す図。
【図８】患者情報２５０を示す図。
【図９】コンテンツ素材情報２７０を示す図。
【図１０】選択コンテンツ情報２９０を示す図。
【図１１】表示システム１００における表示方法について示すフローチャート。
【図１２】表示画面３００、コンテンツ選択画面３４０の例を示す図。
【図１３】表示画面３００、コンテンツ選択画面３４０の例を示す図。
【図１４】コンテンツ選択画面３４０の例を示す図。
【発明を実施するための形態】
【００２２】
以下、図面に基づいて本発明の好適な実施形態について詳細に説明する。
【００２３】
（１．表示システム１００）
図１は本発明の実施形態に係る表示システム１００の概略を示す図である。この表示システム１００は病院に設けられており、病室２０のベッド１０に設置するベッドサイドモニター１（表示装置）に各種のコンテンツを表示するものである。ただし、表示システム１００の適用対象がこれに限ることはない。
【００２４】
図２は表示システム１００の構成を示す図である。図２に示すように、表示システム１００は複数のベッドサイドモニター１と配信サーバ２（サーバ）を有する。ベッドサイドモニター１と配信サーバ２は無線LANや有線LAN等のネットワーク３を介して通信可能に接続される。
【００２５】
（２．ベッドサイドモニター１）
ベッドサイドモニター（以下、単にモニターという）１は、例えばタブレット端末や電子ペーパー表示端末等である。図３はモニター１のハードウェア構成を示す図である。図３に示すように、モニター１は、例えば制御部１１、記憶部１２、入力部１３、表示部１４、通信制御部１５等をバス１６により接続して構成される。但しこれに限ることなく、適宜様々な構成をとることができる。
【００２６】
制御部１１はCPU、ROM、RAMなどから構成される。CPUは、記憶部１２、ROMなどの記憶媒体に格納されたモニター１の後述する処理に係るプログラムをRAM上のワークエリアに呼び出して実行する。ROMは不揮発性メモリであり、ブートプログラムやBIOSなどのプログラム、データなどを恒久的に保持している。RAMは揮発性メモリであり、記憶部１２、ROMなどからロードしたプログラムやデータを一時的に保持するとともに、制御部１１が各種処理を行うために使用するワークエリアを備える。
【００２７】
記憶部１２はフラッシュメモリ等であり、制御部１１が実行するプログラム、プログラム実行に必要なデータ、OSなどが格納される。これらのプログラムやデータは、制御部１１により必要に応じて読み出され実行される。本実施形態では、後述する表示装置ＩＤ（図６の表示装置ＩＤ２１１参照）が記憶部１２に記録されている。
【００２８】
入力部１３はモニター１に入力を行うものであり、本実施形態では表示部１４に設けられたタッチパネルにより実現される。しかしながら、物理ボタンや物理キーなどによって入力を行うようにしてもよい。
【００２９】
表示部１４は、モニター１の操作に応じて各種の画面を表示するものであり、本実施形態ではタッチパネル機能付きの液晶ディスプレイや電子ペーパー等が用いられる。
【００３０】
通信制御部１５は、ネットワーク３等を介した通信を媒介する通信インタフェースであり、配信サーバ２等との間で通信を行う。
バス１６は、モニター１の各部間の制御信号、データ信号等の授受を媒介する経路である。
【００３１】
（３．モニター１の表示画面３００）
図４はモニター１の表示部１４に表示される表示画面３００の例である。図４に示すように、表示画面３００は固定コンテンツ表示領域３１０と選択コンテンツ表示領域３２０を有する。
【００３２】
固定コンテンツ表示領域３１０では、ベッド１０の入院患者の患者名３１１、性別３１２、血液型３１３、担当医３１４、および、病院ロゴ３１５、病院マップ３１６などのデータが各領域に表示される。本実施形態では患者名３１１、性別３１２、血液型３１３、担当医３１４がテキストとして表示され、病院ロゴ３１５、病院マップ３１６が図形や絵柄によって表示される。これらのデータはモニター１上では選択できないようになっている。
【００３３】
選択コンテンツ表示領域３２０では、ベッド１０の入院患者の移動方法３２１、食事制限３２２、ベッド姿勢３２３、飲み物３２４に関するデータが各領域に表示される。これらのデータは、モニター１上で複数の候補の中から実際に表示するものを選択できる。
【００３４】
移動方法３２１は、入院患者の移動方法に関するデータであり、例えば、歩行（自立歩行）、杖を使用しての歩行、歩行器を使用しての歩行、車いす移動、ベッド移動などがある。本実施形態ではこれらのデータを直感的に把握できるように絵柄（ピクトグラム）によって表示している。図４の例では「歩行（自立歩行）」を示す絵柄が表示されている。
【００３５】
食事制限３２２は、入院患者の食事制限に関するデータであり、例えば特定のメニューの禁止、朝食禁止、昼食禁止、夕食禁止などである。本実施形態ではこれらのデータも絵柄で表示され、図４の例では「朝食禁止」を示す絵柄が表示されている。
【００３６】
ベッド姿勢３２３は、ベッド１０における入院患者の姿勢に関するデータであり、図４の例では、ベッド１０のヘッドアップ角度（ベッド１０の頭部側の部分が水平方向に対して成す角度）の制限値をテキストで表示している。
【００３７】
飲み物３２４は、入院患者の飲み物に関するデータであり、例えば飲み物制限無し、服薬時のみ水分を摂ってもよい、飲み物の量の計量中、などである。本実施形態ではこれらのデータをテキストで表示しており、図４の例では入院患者の飲み物制限が無いことが示されている。
【００３８】
以下の説明では、上記のようにモニター１に実際に表示されるテキスト、図形、絵柄等のデータをコンテンツ素材というものとする。さらに、必要に応じて、これらのデータのうち、モニター１上で選択できないデータを固定コンテンツ素材といい、モニター１上で複数の候補の中から選択できるデータを選択コンテンツ素材ということがある。
【００３９】
（４．配信サーバ２）
配信サーバ２は、モニター１との間で通信を行い、モニター１に各種のコンテンツの表示を行わせるものである。図５は配信サーバ２のハードウェア構成を示す図である。図５に示すように、配信サーバ２は、例えば制御部２１、記憶部２２、入力部２３、表示部２４、通信制御部２５等をバス２６により接続して構成される。但しこれに限ることなく、適宜様々な構成をとることができる。
【００４０】
制御部２１は、前記の制御部１１と同様、CPU、ROM、RAMなどから構成され、CPUによって記憶部２２、ROMなどの記録媒体に格納された配信サーバ２の後述する処理に係るプログラムを実行する。
【００４１】
記憶部２２はハードディスクドライブ等の記録媒体であり、制御部２１が実行するプログラム、プログラム実行に必要なデータ、OSなどが格納される。これらのプログラムやデータは、制御部２１により必要に応じて読み出され、実行される。
【００４２】
入力部２３は配信サーバ２に入力を行うものであり、例えばキーボード、マウスなどのポインティングデバイス、テンキーなどの入力装置を有する。
表示部２４は、液晶ディスプレイなどのディスプレイ装置等を有する。
通信制御部２５は、ネットワーク３等を介した通信を媒介する通信インタフェースであり、モニター１等との間で通信を行う。
バス２６は、配信サーバ２の各部間の制御信号、データ信号等の授受を媒介する経路である。
【００４３】
（５．配信サーバ２が保持するデータ）
本実施形態では、配信サーバ２の記憶部２２に、表示装置情報２１０、レイアウト情報２３０、患者情報２５０、コンテンツ素材情報２７０、選択コンテンツ情報２９０がデータベースとして保持される。
【００４４】
図６は表示装置情報２１０を示す図である。表示装置情報２１０はモニター１に関する情報であり、入院患者のベッド１０が決定した後に、表示装置ＩＤ２１１、設置場所２１２、患者名２１３、レイアウトＩＤ２１４等のデータを紐づけて記録したものである。
【００４５】
表示装置ＩＤ２１１は、各モニター１を識別するための識別情報である。モニター１との間で通信を行うために、表示装置ＩＤ２１１には各モニター１のIPアドレスなども紐付けられる。表示装置ＩＤ２１１はモニター１を識別可能な情報であれば特に限定されず、例えば上記のIPアドレスを表示装置ＩＤ２１１として用いる事も可能である。
【００４６】
設置場所２１２は、各モニター１が設置されている場所を示す情報であり、本実施形態ではモニター１が設置されている病室２０およびベッド１０を示す情報が記録される。
【００４７】
患者名２１３は、モニター１を見る入院患者を識別可能な情報であり、本実施形態ではモニター１を設置したベッド１０に居る入院患者の氏名（前記した患者名３１１）がテキストデータとして記録される。
【００４８】
レイアウトＩＤ２１４は、モニター１に表示する表示画面３００のレイアウトを示す識別情報である。このレイアウトＩＤ２１４で指定されるレイアウトにより、表示画面３００のレイアウトがモニター１ごとに定められる。
【００４９】
図７（ａ）はレイアウト情報２３０を示す図である。レイアウト情報２３０はモニター１に表示する表示画面３００のレイアウトに関する情報であり、レイアウトＩＤ２１４、レイアウトファイル２３１等を紐づけて記録したものである。
【００５０】
レイアウトファイル２３１は、各レイアウトＩＤ２１４のレイアウトを定義するデータである。図７（ｂ）はレイアウトファイル２３１の概要を示す図である。本実施形態では、レイアウトファイル２３１により、コンテンツ種類２３１１やコンテンツ素材を表示する領域２３１２等が定められる。
【００５１】
コンテンツ種類２３１１は、表示画面３００に表示するコンテンツ素材の種類であり、前記した「患者名」「性別」「血液型」「担当医」「病院ロゴ」「病院マップ」や、「移動方法」「食事制限」「ベッド姿勢」「飲み物」などである。各コンテンツ素材を表示する領域２３１２は位置座標等によって定められる。なおレイアウトファイル２３１ではコンテンツ素材の表示態様（例えば文字や背景の色など）等もパラメータとして定めることができる。
【００５２】
図８は患者情報２５０を示す図である。患者情報２５０は、入院患者に関する情報であり、前記した固定コンテンツ素材に属する患者名２１３、性別２５１、血液型２５２、担当医２５３等の項目と、前記した選択コンテンツ素材に属する移動方法２５４、食事制限２５５、ベッド姿勢２５６、飲み物２５７等の項目について、入院患者ごとのデータを紐づけて記録したものである。
【００５３】
固定コンテンツ素材に属する患者名２１３、性別２５１、血液型２５２、担当医２５３等の項目には、それぞれ、前記した患者名３１１、性別３１２、血液型３１３、担当医３１４のテキストデータが記録される。
【００５４】
一方、選択コンテンツ素材に属する移動方法２５４、食事制限２５５、ベッド姿勢２５６、飲み物２５７等の項目には、それぞれ、前記した移動方法３２１、食事制限３２２、ベッド姿勢３２３、飲み物３２４の選択コンテンツ素材を示すコンテンツＩＤ（図９のコンテンツＩＤ２７１参照）が記録される。図８の例では各項目に一つのコンテンツＩＤが記録されているが、複数のコンテンツＩＤが記録されてもよい。
【００５５】
図９はコンテンツ素材情報２７０を示す図である。コンテンツ素材情報２７０はモニター１間で共通に利用可能なテキスト、図形、絵柄等のコンテンツ素材を示す情報であり、コンテンツＩＤ２７１、コンテンツファイル２７２等のデータを紐づけて記録したものである。
【００５６】
コンテンツＩＤ２７１は、各コンテンツ素材を識別するための識別情報である。
【００５７】
コンテンツファイル２７２は、各コンテンツＩＤ２７１のコンテンツ素材のデータであり、テキストデータや図形、絵柄等の画像データなどである。
【００５８】
図１０（ａ）は選択コンテンツ情報２９０を示す図である。選択コンテンツ情報２９０は、前記した選択コンテンツ素材の候補を示す情報であり、選択コンテンツＩＤ２９１、コンテンツファイルリスト２９２等を記録したものである。
【００５９】
選択コンテンツＩＤ２９１は、選択コンテンツ素材のコンテンツ種類２３１１を識別する識別情報であり、本実施形態では前記した「移動方法」「食事制限」「ベッド姿勢」「飲み物」が該当する。
【００６０】
コンテンツファイルリスト２９２は、選択コンテンツＩＤ２９１で指定されるコンテンツ種類２３１１について、その選択コンテンツ素材の候補一覧を前記のコンテンツＩＤ２７１によって記録したものである。
【００６１】
例えば図１０（ｂ）は「移動方法」のコンテンツファイルリスト“Move.list”の例であり、「歩行（自立歩行）」「杖（を使用しての歩行）」「歩行器（を使用しての歩行）」「車いす移動」「ベッド移動」などのコンテンツＩＤ２７１が候補として記録されている。
【００６２】
（６．表示システム１００における表示方法）
次に、図１１等を参照して表示システム１００における表示方法について説明する。図１１は表示システム１００における表示方法について示すフローチャートである。図１１のＳ１、４−５、８−９、１２−１３、１６、１８の処理はモニター１の制御部１１が実行し、その他の処理は配信サーバ２の制御部２１が実行する。
【００６３】
本実施形態では、ベッド１０の入院患者の元に来た医師や看護師等のモニター１の操作により、モニター１が配信サーバ２にレイアウト取得要求を送信する（Ｓ１）。レイアウト取得要求には前記した表示装置ＩＤ２１１等が含まれる。
【００６４】
Ｓ１におけるモニター１の操作は、例えば表示部１４のタッチパネル操作によって行うことができるが、モニター１に備えられた物理ボタンや物理キー等による操作を行ってもよい。以降のモニター１の操作においても同様である。
【００６５】
配信サーバ２は、レイアウト取得要求を受信すると、モニター１即ち入院患者に対応するレイアウトファイル２３１を取得し（Ｓ２）、このレイアウトファイル２３１をモニター１に送信する（Ｓ３）。
【００６６】
上記のＳ２では、例えば配信サーバ２が表示装置情報２１０を参照し、レイアウト取得要求に含まれる表示装置ＩＤ２１１に対応するレイアウトＩＤ２１４を読取る。そして、レイアウト情報２３０を参照してそのレイアウトＩＤ２１４に対応するレイアウトファイル２３１を取得する。
【００６７】
モニター１は、レイアウトファイル２３１を配信サーバ２から受信すると、このレイアウトファイル２３１を読取り（Ｓ４）、前記した表示画面３００の固定コンテンツ表示領域３１０に固定コンテンツ素材を表示すべく、固定コンテンツ素材要求を配信サーバ２に送信する（Ｓ５）。
【００６８】
前記したように、レイアウトファイル２３１には「患者名」「性別」「血液型」「担当医」「病院ロゴ」「病院マップ」「移動方法」「食事制限」「ベッド姿勢」「飲み物」等のコンテンツ種類２３１１が含まれており、上記の固定コンテンツ素材要求には、例えばこれらのうち固定コンテンツ素材に属するもの（本実施形態では「患者名」「性別」「血液型」「担当医」「病院ロゴ」「病院マップ」）がモニター１の表示装置ＩＤ２１１とともに含まれる。
【００６９】
配信サーバ２は、固定コンテンツ素材要求を受信すると、コンテンツ素材情報２７０等を参照し、固定コンテンツ素材要求に含まれるコンテンツ種類２３１１に対応する固定コンテンツ素材を取得して（Ｓ６）、モニター１に送信する（Ｓ７、送信手段）。
【００７０】
上記のＳ６では、例えば配信サーバ２がコンテンツ素材情報２７０を参照し、「病院ロゴ」「病院マップ」に対応するコンテンツＩＤ２７１のコンテンツファイル２７２を固定コンテンツ素材として取得する。
【００７１】
また、配信サーバ２は、表示装置情報２１０を参照し、固定コンテンツ素材要求に含まれる表示装置ＩＤ２１１に対応する患者名２１３のテキストデータを固定コンテンツ素材として取得する。さらに患者情報２５０を参照し、取得した患者名２１３の入院患者について、性別２５１、血液型２５２、担当医２５３の項目のテキストデータを残りの固定コンテンツ素材として取得する。
【００７２】
モニター１は、これらの固定コンテンツ素材を配信サーバ２から受信して表示画面３００の固定コンテンツ表示領域３１０に表示する（Ｓ８、固定コンテンツ表示手段）。この時の表示画面３００の例を図１２（ａ）に示す。
【００７３】
図１２（ａ）に示すように、表示画面３００としては、上記の固定コンテンツ素材が固定コンテンツ表示領域３１０の各領域に表示されるほか、選択コンテンツ表示領域３２０の各領域には選択ボタン３３０が仮表示される。
【００７４】
医師や看護師等は、モニター１を操作して図１２（ａ）の選択ボタン３３０を選択する。モニター１は、選択ボタン３３０の選択を受付けると、選択コンテンツ素材要求を配信サーバ２に送信する（Ｓ９）。
【００７５】
上記の選択コンテンツ素材要求には、選択ボタン３３０が表示された領域に対応するコンテンツ種類２３１１が含まれる。以下の説明では移動方法３２１の領域の選択ボタン３３０が選択されたものとし、選択コンテンツ素材要求に「移動方法」のコンテンツ種類２３１１が含まれるものとする。
【００７６】
配信サーバ２は、選択コンテンツ素材要求を受信すると、上記のコンテンツ種類２３１１に対応する選択コンテンツ素材の候補を取得し（Ｓ１０）、この選択コンテンツ素材の候補をモニター１に送信する（Ｓ１１、送信手段）。
【００７７】
上記のＳ１０では、例えば配信サーバ２が選択コンテンツ情報２９０を参照し、上記の選択コンテンツ素材要求に含まれるコンテンツ種類２３１１（「移動方法」）に該当する選択コンテンツＩＤ２９１のコンテンツファイルリスト２９２を取得する。そして、当該コンテンツファイルリスト２９２に記録されたコンテンツＩＤ２７１を全て読み取る。そして、コンテンツ素材情報２７０を参照し、上記読取ったコンテンツＩＤ２７１に対応するコンテンツファイル２７２（選択コンテンツ素材）を全て取得する。
【００７８】
上記のＳ１１では、例えば配信サーバ２が上記取得した全てのコンテンツファイル２７２を選択コンテンツ素材の候補としてモニター１に送信するとともに、各コンテンツファイル２７２に対応するコンテンツＩＤ２７１もモニター１に送信する。
【００７９】
モニター１は、選択コンテンツ素材の候補を配信サーバ２から受信すると、表示部１４にコンテンツ選択画面を表示させる（Ｓ１２、コンテンツ選択画面表示手段）。
【００８０】
図１２（ｂ）はコンテンツ選択画面３４０の例を示す図である。コンテンツ選択画面３４０では、配信サーバ２から受信した全てのコンテンツファイル２７２（選択コンテンツ素材の候補）が表示される。本実施形態ではコンテンツファイル２７２の候補一覧をサムネイル表示しているが、その表示方法は特に限定されず、例えばスクロール操作等によりこれらのコンテンツファイル２７２が順次表示できるようなものであってもよい。
【００８１】
医師や看護師等は、モニター１を操作し、コンテンツ選択画面３４０に表示されたコンテンツファイル２７２の候補の中から、選択コンテンツ表示領域３２０に表示させるコンテンツファイル２７２を選択する。モニター１は、コンテンツファイル２７２の選択を受付けて、選択されたコンテンツファイル２７２（選択コンテンツ素材）の通知を配信サーバ２に送信する（Ｓ１３、通知手段）。
【００８２】
上記の通知には、例えば、モニター１の表示装置ＩＤ２１１、選択されたコンテンツファイル２７２に対応するコンテンツＩＤ２７１とコンテンツ種類２３１１が含まれる。また以下の説明ではコンテンツ選択画面３４０に表示されたコンテンツファイル２７２の候補の中から、コンテンツＩＤ２７１が「歩行」であるコンテンツファイル２７２が選択されたものとする。
【００８３】
配信サーバ２は、上記の通知を受信すると、選択されたコンテンツファイル２７２（選択コンテンツ素材）をモニター１の選択コンテンツ表示領域３２０に表示してよいか否かの判定を行う（Ｓ１４、判定手段）。
【００８４】
上記のＳ１４では、例えば配信サーバ２が表示装置情報２１０を参照し、上記の通知に含まれる表示装置ＩＤ２１１に対応する患者名２１３を読取る。そして、患者情報２５０を参照し、上記の通知に含まれるコンテンツ種類２３１１に該当する項目（ここでは移動方法２５４の項目）のデータのうち、読取った患者名２１３に対応するもの（判定情報）を取得する。そして、取得したデータの中に、上記の通知に含まれるコンテンツＩＤ２７１（ここでは「歩行」）が存在するかどうかを判定する。
【００８５】
配信サーバ２は、上記取得したデータ中に上記のコンテンツＩＤ２７１が含まれる場合、選択されたコンテンツファイル２７２がモニター１即ち入院患者に対して正しく、これを選択コンテンツ表示領域３２０に表示してよいとし（Ｓ１４；ＹＥＳ）、表示許可通知をモニター１に送信する（Ｓ１５）。
【００８６】
モニター１は、表示許可通知を配信サーバ２から受信すると、図１２（ｃ）に示すように、選択コンテンツ表示領域３２０の移動方法３２１の領域に、コンテンツ選択画面３４０で選択された「歩行」のコンテンツファイル２７２（選択コンテンツ素材）を表示する（Ｓ１６、選択コンテンツ表示手段）。
【００８７】
一方、配信サーバ２は、上記取得したデータ中に上記のコンテンツＩＤ２７１が含まれない場合、選択されたコンテンツファイル２７２がモニター１即ち入院患者に対して正しくなく、これを選択コンテンツ表示領域３２０に表示することができないとし（Ｓ１４；ＮＯ）、表示不許可通知をモニター１に送信する（Ｓ１７）。
【００８８】
モニター１は、表示不許可通知を配信サーバ２から受信すると、選択されたコンテンツファイル２７２が表示不許可である旨をメッセージなどとして表示し（Ｓ１８）、別のコンテンツファイル２７２を選択するように促すなどして再度前記したＳ１２以降の処理を行う流れとなる。
【００８９】
以上説明したＳ１２以降の処理を選択コンテンツ表示領域３２０の各領域について行うことで、図４に示したような表示画面３００をモニター１の表示部１４に表示させることができる。
【００９０】
なお、コンテンツファイル２７２がテキストデータの場合、前記のコンテンツ選択画面３４０には図１３（ａ）に示すようにコンテンツファイル２７２のテキストが候補として表示され、この中から選択したコンテンツファイル２７２を、配信サーバ２からの表示許可通知を受けて図１３（ｂ）に示すように表示させることとなる。
【００９１】
本実施形態では、以上の手順で表示画面３００の表示が行われるので、コンテンツ選択画面３４０で表示されるコンテンツファイル２７２（選択コンテンツ素材）の候補のうち、選択コンテンツ表示領域３２０で表示可能なコンテンツファイル２７２は、入院患者の患者名２１３等に応じて、即ち固定コンテンツ表示領域３１０に表示される固定コンテンツ素材の少なくともいずれかに応じて異なるものとできる。
【００９２】
例えば図８の患者情報２５０において、一段目の患者名２１３（「○○  ○○」）の入院患者の移動方法２５４の項目のデータは「歩行」であり、表示可能なコンテンツファイル２７２は「歩行」のコンテンツファイル２７２になるが、二段目の患者名２１３（「△△  △△」）の入院患者の移動方法２５４の項目のデータは「杖」であり、表示可能なコンテンツファイル２７２は「杖」のコンテンツファイル２７２になる。
【００９３】
同様に、選択コンテンツ表示領域３２０で表示可能なコンテンツファイル２７２は、入院患者の回復状況等に応じて配信サーバ２側で変更することが可能である。例えば入院患者が自立歩行できるようになった場合、医師等の判断によって患者情報２５０の移動方法２５４の項目のデータを「杖」から「歩行」に変更するか、あるいは「杖」に追加して「歩行」の記録を行う。
【００９４】
すると、コンテンツ選択画面３４０のコンテンツファイル２７２の候補のうち「歩行」のコンテンツファイル２７２が選択コンテンツ表示領域３２０で新たに表示可能になり、モニター１の操作時の医師や看護師等と入院患者とのコミュニケーションの中で、入院患者が自身の回復状況を実感できるようになる。
【００９５】
このように選択コンテンツ表示領域３２０で表示可能なコンテンツファイル２７２は、コンテンツ選択画面３４０において他のコンテンツファイル２７２と区別できるよう、表示態様を変えて強調表示を行ってもよい。図１４（ａ）は「歩行」と「杖」のコンテンツファイル２７２が選択コンテンツ表示領域３２０で表示可能な例であり、これらのコンテンツファイル２７２の外側に実線の枠３４１を追加表示している。どのように表示態様を変えるかは特に限定されず、例えばコンテンツファイル２７２の色や濃度を変えたりしてもよい。
【００９６】
また、選択コンテンツ表示領域３２０に以前表示されたコンテンツファイル２７２を同様に強調表示してもよい。図１４（ｂ）は「歩行器」のコンテンツファイル２７２を以前表示していた例であり、「歩行器」のコンテンツファイル２７２が点線の枠３４２で囲まれている。
【００９７】
以上説明したように、本実施形態のモニター１では、表示画面３００に選択コンテンツ表示領域３２０が設定されており、コンテンツ選択画面３４０に表示されたコンテンツファイル２７２（選択コンテンツ素材）の候補に対し、モニター１側からその場で有効なものを選択して選択コンテンツ表示領域３２０に表示できる。例えば、病院において各種の情報を示すピクトグラムの場合、表示する候補となる絵柄はコンテンツ種類２３１１によって限られることが多く、このようなケースにおいて選択コンテンツ表示領域３２０に表示する絵柄を候補の中から選択することで、表示画面３００の表示をニーズに応じてその場で簡単に設定できる。また上記したコンテンツファイル２７２の候補は固定コンテンツ素材とともに配信サーバ２で管理され、モニター１即ち入院患者ごとに選択コンテンツ表示領域３２０で表示できる内容を変更することができる。
【００９８】
また、コンテンツファイル２７２の選択の際に、表示を見る者とコミュニケーションをとりながら状況説明を行うこともできる。本実施形態では、入院患者の回復状況に合わせたコンテンツファイル２７２の選択の際に、表示を見る入院患者とコミュニケーションをとりながら医師や看護師等が現在の入院患者の回復状況を説明するときに使用できる。選択コンテンツ表示領域３２０に表示するコンテンツファイル２７２を入院患者と確認しながら選択することで、現在の回復状況がどのくらい快方に向かっているかを把握することが可能である。
【００９９】
またモニター１で表示すべきコンテンツ素材は、モニター１を見る者、担当者、設置場所等のモニター固有の状況に応じて異なることが多い。本実施形態のような病院のベッド１０に設置されるモニター１の場合、そのベッド１０の入院患者に関する情報、例えば患者名２１３等は、上記したモニター固有の状況に該当する。従って、患者名２１３等を固定コンテンツ素材として表示する場合に、選択コンテンツ素材として選択コンテンツ表示領域３２０に表示可能な内容は、その患者名２１３等に応じて異なるものとできる。
【０１００】
また本実施形態では、コンテンツ選択画面３４０で選択されたコンテンツファイル２７２を配信サーバ２に通知し、配信サーバ２からの表示許可通知を受けてそのコンテンツファイル２７２を選択コンテンツ表示領域３２０に表示する流れとできる。これにより選択コンテンツ表示領域３２０で表示可能な選択コンテンツ素材を配信サーバ２上で管理でき、間違ったコンテンツファイル２７２が選択コンテンツ表示領域３２０に表示されることが無くなる。また選択されたコンテンツファイル２７２を配信サーバ２側に通知することで、ログとして管理することもできる。
【０１０１】
この際、配信サーバ２側では、選択されたコンテンツファイル２７２のモニター１からの通知に基づいて、そのコンテンツファイル２７２を表示してよいか否かを判定することで、選択コンテンツ表示領域３２０に表示するコンテンツファイル２７２の管理を配信サーバ２側で好適に行うことができる。前記したモニター固有の状況として患者名２１３等を固定コンテンツ素材として表示する場合には、その患者名２１３等に応じた情報（例えば、患者情報２５０の移動方法２５４の項目のデータ）を判定情報として上記の判定に用いることで、選択コンテンツ表示領域３２０で表示可能なコンテンツファイル２７２を患者名２１３等の固定コンテンツ素材に応じて異なるものとできる。
【０１０２】
また、前記したように、コンテンツ選択画面３４０において、選択コンテンツ表示領域３２０に表示可能なコンテンツファイル２７２が他のコンテンツファイル２７２と区別できるように強調表示されることで、コンテンツファイル２７２の候補のうちどれが表示可能であるのかがわかりやすく、容易に選択ができるようになる。
【０１０３】
さらに、コンテンツ選択画面３４０において、選択コンテンツ表示領域３２０に以前表示されたコンテンツファイル２７２が他のコンテンツファイル２７２と区別できるように強調表示されることで、コンテンツファイル２７２の候補のうち以前表示したものがわかり、コンテンツファイル２７２を選択する際の参考にできるほか、選択コンテンツ表示領域３２０に表示可能なコンテンツファイル２７２の入院患者の回復状況等に応じた推移も把握できるようになる。
【０１０４】
しかしながら、本発明は上記の実施形態に限ることはない。例えば、本実施形態は病室２０のベッド１０に設置するモニター１の例を挙げて説明したが、本発明の適用範囲はこれに限らない。例えば駅等の交通機関に設置されるデジタルサイネージ（表示装置）等に適用することも可能である。例えば駅に設置するサイネージの場合、サイネージ側で選択できる選択コンテンツ素材の例としては駅ごとの広告コンテンツなどがあり、サイネージ側で選択できない固定コンテンツ素材の例としてはその駅固有の時刻表コンテンツなどがある。また、ユーザが選択した広告等やその表示時間をサーバにログとして残しておくこともできる。
【０１０５】
また、本実施形態ではＳ１１で予めモニター１に送信したコンテンツファイル２７２を配信サーバ２からの表示許可を得てＳ１６で表示する形としているが、Ｓ１１において、配信サーバ２が、患者情報２５０のうち移動方法２５４等の選択コンテンツ素材に属する項目のデータを参照し、選択コンテンツ表示領域３２０に表示可能なコンテンツファイル２７２のみを送信してもよい。この場合、Ｓ１４〜Ｓ１８の処理を省略し、コンテンツ選択画面３４０で選択されたコンテンツファイル２７２を選択コンテンツ表示領域３２０に即表示することもできる。
【０１０６】
また、本実施形態ではＳ３でレイアウトファイル２３１をモニター１に送信した後、Ｓ７で固定コンテンツ表示領域３１０に表示させる固定コンテンツ素材をモニター１に送信して表示させているが、Ｓ３でレイアウトファイル２３１と併せて固定コンテンツ表示領域３１０に表示させる固定コンテンツ素材をモニター１に送信し、図１２（ａ）に示した表示画面３００を即表示させるようにしてもよい。
【０１０７】
また、本実施形態では、医師等の判断に基づいて患者情報２５０等の入力を行うことにより、選択コンテンツ表示領域３２０に表示可能なコンテンツファイル２７２を配信サーバ２側で管理できるが、予め定められた入院患者のリハビリ等のプログラム表などに基づいて、患者情報２５０等が自動的に記録あるいは更新されるようにしてもよい。
【０１０８】
さらに、レイアウトファイル２３１をモニター１上で選択できるようにしてもよく、この場合は例えば表示装置情報２１０のレイアウトＩＤ２１４の項目に複数のレイアウトＩＤを記録しておくことで、これら複数のレイアウトＩＤに対応するレイアウトの中から所望のレイアウトを選択可能に表示するレイアウト選択画面（不図示）をモニター１に表示させることが可能になる。
【０１０９】
この他、選択コンテンツ情報２９０において、１つの選択コンテンツＩＤ２９１につき異なる複数のコンテンツファイルリスト２９２を記録しておき、表示装置ＩＤ２１１や患者名２１３などとコンテンツファイルリスト２９２を紐づけておくことで、前記のコンテンツ選択画面３４０に表示されるコンテンツファイル２７２の候補をモニター１即ち入院患者ごとに変えることも可能である。
【０１１０】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【０１１１】
１：ベッドサイドモニター
２：配信サーバ
３：ネットワーク
１０：ベッド
２０：病室
１００：表示システム
２１０：表示装置情報
２３０：レイアウト情報
２５０：患者情報
２７０：コンテンツ素材情報
２９０：選択コンテンツ情報
３００：表示画面
３１０：固定コンテンツ表示領域
３２０：選択コンテンツ表示領域
３３０：選択ボタン
３４０：コンテンツ選択画面
【図１】
2018169814.tif 000003
【図２】
2018169814.tif 000004
【図３】
2018169814.tif 000005
【図４】
2018169814.tif 000006
【図５】
2018169814.tif 000007
【図６】
2018169814.tif 000008
【図７】
2018169814.tif 000009
【図８】
2018169814.tif 000010
【図９】
2018169814.tif 000011
【図１０】
2018169814.tif 000012
【図１１】
2018169814.tif 000013
【図１２】
2018169814.tif 000014
【図１３】
2018169814.tif 000015
【図１４】
2018169814.tif 000016